(57)【要約】 【課題】封印シールを破壊した場合には、識別情報の読み取りを確実に不可能として不正行為を検知することができる遊技機の基板ケースを提供する。【解決手段】ベース側貼付部２２を有するボックスベース２と、カバー側貼付部３２を有しボックスベース２にスライドして装着されるボックスカバー３と、ＩＣチップとアンテナ部とこの両者をつなぐ接続部とを有する封印シール１と、からなる遊技機の基板ケースであって、ベース側貼付部２２とカバー側貼付部３２とに封印シール１の切断機構を設けたうえに、この切断機構の直上に前記接続部を位置させて封印シール１をベース側貼付部２２とカバー側貼付部３２を跨いで貼着した。【選択図】図３
2010172766.tif 000002
【特許請求の範囲】
【請求項１】
ベース側貼付部を有するボックスベースと、カバー側貼付部を有しボックスベースにスライドして装着されるボックスカバーと、ＩＣチップとアンテナ部とこの両者をつなぐ接続部とを有する封印シールと、シールカバー体とからなる遊技機の基板ケースであって、
カバー側貼付部またはベース側貼付部に封印シールの切断部材を設けて、この切断部材の直上に前記接続部を位置させて封印シールをベース側貼付部とカバー側貼付部を跨いで貼着したうえに、この封印シールを覆ってシールカバー体を切断部材と係合させて装着したことを特徴とする遊技機の基板ケース。
【請求項２】
前記切断部材を、封印シールを突き破る方向にスライド可能なものとして、シールカバー体には、切断部材をスライドさせる係合爪を設けた請求項１に記載の遊技機の基板ケース。
【請求項３】
切断部材を、上面に複数本の凹溝が形成されたものとして、封印シールとの密着性を低下させた請求項２に記載の遊技機の基板ケース。
【請求項４】
切断部材を、ベース側貼付部とカバー側貼付部との間に挿入され、かつこれら貼付部の両端に渡る幅の切れ刃を有するものとしたうえに、この切断部材の両端に、シールカバー体の係止部と係合可能な係止爪を設けた請求項２に記載の遊技機の基板ケース。
【発明の詳細な説明】
【技術分野】
【０００１】
本発明は、回路基板を収納するための遊技機の基板ケースに関するものである。
【背景技術】
【０００２】
回路基板を収納するための基板ケースを封印するものとして、特許文献１に開示されているようなＩＣタグを有する封印シールを貼着したものが知られている。開示に係るものは、ボックスベースとボックスカバーにそれぞれ貼付板部を設け、この貼付板部を跨ぐようにＩＣタグが埋め込まれた封印シールが側面視コの字状に折り曲げて貼り付けられた構造となっている。
【０００３】
封印シール１は、図１、２に示すように、裏面に固有の識別情報が収納されたＩＣチップ１１と、アンテナ部１２と、ＩＣチップ１１とアンテナ部１２とをつなぐ接続部１３とを備えている。この封印シール１においては、外部のリーダー装置からの電波によってアンテナ部１２に微量な電力を発生させ、その電力によってＩＣチップ１１で情報を処理してアンテナ部１２からリーダー装置へ送信することによって、外部から固有の識別情報を非接触で読み取ることができる。このような封印シール１で封印された基板ケースを不正に開封して接続部１３が切断された場合には、ＩＣチップ１１とアンテナ部１２との導通が遮断されてしまうので、リーダー装置による情報の読み取りが不可能となって不正が働かれたことを検知することができる。
【０００４】
しかしながら、接続部１３は長さ数ｍｍ程度の短いものであるので、基板ケースを不正に開封した場合においても、接続部１３以外のアンテナ部１２で切断されたような場合にはアンテナ１２の長さが短くなるだけで、依然としてリーダー装置による識別情報の読み取りが可能であって、不正が働かれたことを検知することができないという問題があった。なお、封印シールを貼着した基板ケースの反対側には、特許文献２に示したようなロック機構が二つ設けられている。
【先行技術文献】
【特許文献】
【０００５】
【特許文献１】特開２００８−１７９１４号公報
【特許文献２】特開２００８−１２５５３５号公報
【発明の開示】
【発明が解決しようとする課題】
【０００６】
本発明は、上記した従来の問題点に鑑み、ボックスベースとボックスカバーとを封印する封印シールを破壊した場合には、リーダー装置による識別情報の読み取りを確実に不可能として不正行為を検知することができる遊技機の基板ケースを提供することを課題とする。
【課題を解決するための手段】
【０００７】
本発明の遊技機の基板ケースは、ベース側貼付部を有するボックスベースと、カバー側貼付部を有しボックスベースにスライドして装着されるボックスカバーと、ＩＣチップとアンテナ部とこの両者をつなぐ接続部とを有する封印シールと、シールカバー体とからなる遊技機の基板ケースであって、
カバー側貼付部またはベース側貼付部に封印シールの切断部材を設けて、この切断部材の直上に前記接続部を位置させて封印シールをベース側貼付部とカバー側貼付部を跨いで貼着したうえに、この封印シールを覆ってシールカバー体を切断部材と係合させて装着したことを特徴とするものである。
【０００８】
前記切断部材を、封印シールを突き破る方向にスライド可能なものとして、シールカバー体には、切断部材をスライドさせる係合爪を設けることができる。
【０００９】
上記した発明において、切断部材の上面に複数本の凹溝を形成して、封印シールとの密着性を低くすることによって、切断部材の封印シールからの引き離しを容易として切断部材をスライドしやすくすることができ、また、切断部材を、ベース側貼付部とカバー側貼付部との間に挿入され、かつこれら貼付部の両端に渡る幅を有するものとしたうえに、この切断部材の両側面に、シールカバー体との係止部と係合可能な係止爪を設けることができる。
【発明の効果】
【００１０】
請求項１、２に係る基板ケースは、シールカバー体をむりやり引きずり出すと切断部材がともにスライドされて接続部が確実に切断されるので、ＩＣチップの識別情報が読み取り不可能となって不正行為が働かれたことを検知することができる。
【００１１】
請求項３に係る発明においては、封印シールとの密着性を低くしたので、切断部材の封印シールからの引き離しが容易となって切断部材をスライドさせやすくできる。また、請求項４の発明は、シールカバー体を引き出すと切断部材も供に引き出されるので、切断部材の切れ刃が封印シールの接続部を切断することができる。
【図面の簡単な説明】
【００１２】
【図１】封印シールの裏面図である。
【図２】封印シールの部分拡大図である。
【図３】参考例として示す基板ケースの分解斜視図である。
【図４】ボックスカバーの斜視図である。
【図５】基板ケースの側面図である。
【図６】図５のＡ−Ａ線断面図である。
【図７】合体途中の基板ケースの断面図である。
【図８】係合完了した突片とクリップの拡大図である。
【図９】封印シールが貼着された基板ケースの斜視図である。
【図１０】開封開始時の基板ケースの断面図である。
【図１１】開封途中の基板ケースの断面図である。
【図１２】第１の実施形態の基板ケースの分解斜視図である。
【図１３】切断部材をボックスカバーに嵌め込んだ基板ケースの分解斜視図である。
【図１４】封印シールを貼り付けた基板ケースの斜視図である。
【図１５】シールカバー体を装着した基板ケースの斜視図である。
【図１６】基板ケースの平面図である。
【図１７】図１６のＡ−Ａ線断面図である。
【図１８】図１６のＢ−Ｂ線断面図である。
【図１９】図１８の要部拡大図である。
【図２０】切断部材を引っ張り出した状態の基板ケースの要部拡大図である。
【図２１】別の参考例である基板ケースの分解斜視図である。
【図２２】カバー側貼付部の内部構造を示す斜視図である。
【図２３】合体途中のベース側貼付部とカバー側貼付部を示す斜視図である。
【図２４】合体完了したベース側貼付部とカバー側貼付部を示す斜視図である。
【図２５】切れ刃部に接続部を位置させた状態を示す説明図である。
【図２６】第２の実施形態における切断部材の斜視図である。
【図２７】第３の実施形態の基板ケースの分解斜視図である。
【図２８】図２７のボックスカバーの内面を示す斜視図である。
【図２９】カバー側貼付部の裏側に装着された切断部材の斜視図である。
【図３０】合体完了した基板ケースの斜視図である。
【図３１】図３０のＤ−Ｄ線断面図である。
【図３２】シールカバー体とともに引き出された切断部材を示す水平断面図である。
【発明を実施するための最良の形態】
【００１３】
以下に、本発明の実施形態について説明する。
図３は、参考例である基板ケースを示す図であって、１は封印シール、２はボックスベース、３はボックスカバーである。また、図４はボックスカバー３を示す図である。ボックスベース２の側部には略Ｌ字状に切り込まれた凹部２１が設けられ、ボックスカバー３の側部には突部３１が設けられている。突部３１を前記凹部２１に嵌め込んでスライドさせることによりボックスカバー３をボックスベース２に対して上下方向の移動を規制して合体させることができる。
【００１４】
また、ボックスベース２の一端には、ベース側貼付部２２が設けられ、ボックスカバー３の一端にはベース側貼付部２２に対応してカバー側貼付部３２が設けられている。
【００１５】
ベース側貼付部２２は、底板２２１と、ベース側側壁２２２と、底板２２１の端部に部分的に設けられた立ち上がり壁２２３とからなる。ベース側貼付部２２の立ち上がり壁２２３の一端は、係合用の突片６として形成されている。
【００１６】
また、カバー側貼付部３２は、天板３２１と、カバー側側壁３２２と、天板３２１の端部に部分的に垂設された前壁３２３となる。そして、カバー側貼付部３２の天板３２１の下側にはクリップ７が支軸７１に枢着されている。
【００１７】
クリップ７は、円弧状の胴部７０から一方に刃状部７２が設けられ、他方に分岐した前側片７３と係合片７４とからなる二股部７５を有する。胴部７０は近傍に設けたボス部８に螺入された座付きねじ８１によって抜け止めされて支軸７１に枢着されている。また、突片６の近傍には、ストッパー９が設けられている。なお、突片６をカバー側貼付部３２に設け、クリップ７をベース側貼付部２２に設けることもできる。
【００１８】
以下に参考例である基板ケースの封印構造について説明する。
係合片７４がボス部８に当接した状態となるようにクリップ７を設置した後、ボックスベース２にボックスカバー３を装着してスライドさせると（図５）、突片６が二股部７５の前側片７３と係合する（図６）。さらにスライドさせると突片６が前側片７３を押すことによって、クリップ７が支軸７１を中心として反時計回りに回転する（図７）。なお、滑らかに回転するように前側片７３の端部は円弧形状になっている。
【００１９】
ボックスカバー３をボックスベース２に完全に差し込むと、図８に示すように突片６は二股部７５の間に挟み込まれるとともに、刃状部７２がストッパー９に当接された位置でクリップ７の回転が停止する。このとき、刃状部７２と前側片７３と立ち上がり壁２２３と前壁３２３とは同一平面に位置することになる。この状態で刃状部７２にＩＣチップ１１を、刃状部７２と前壁３２３とを跨ぐように接続部１３を、それぞれ位置させて、図９に示すようにベース側貼付部２２とカバー側貼付部３２を跨いで、コの字状に封印シール１で封印することができる。
【００２０】
以上のように構成したものにおいては、基板ケースを開封するためにボックスベース２に対してボックスカバー３を図１０中左方にスライドすると、今度は突片６が二股部７５の係合片７４と係合する。さらにスライドさせると、クリップ７が支軸７１を中心として時計回りに回転する（図１１）。このとき、二股部７５とは支軸７１を挟んで反対側に位置する刃状部７２が前壁３２３から突出することによって接続部１３が切断されて、ＩＣチップ１１とアンテナ１２との導通が遮断されてしまうので、不正に開封されたことを電気的に検知することができる。なお、滑らかに回転するように突片６の端部および係合片７４は円弧形状になっている。
【００２１】
また、このままスライドさせることで基板ケースを開封することができるが、係合片７４がボス部８に当接することでクリップ７がそれ以上回転することが規制されているため、再度基板ケースを閉止する場合に前側片７３と突片６とが係止しない位置まで回転することを防止している。
【００２２】
図２１、２２には、別の参考例である基板ケースを示す。なお、図においてはボックス部の図示を省略している。この実施形態において、天板３２１と底板２２１とがそれぞれ前壁３２３と立ち上がり壁２２３とに向って傾斜しており、ベース側貼付部２２の内部には先端が刃形状となっている二つのガイド片２２６が立設されている。ガイド片２２６の一つは立ち上がり壁２２３とつながっており、この立ち上がり壁２３の一端は斜めに切り取られた切れ刃部２２７となっている。
【００２３】
カバー側貼付部３２には、ガイド片２２６が挿通されるガイド溝３２６が形成され、前壁３２３の一端には斜めの切れ刃部３２７となっている。
【００２４】
基板ケースを封印するときは、図２３に示すようにガイド溝３２６にガイド片２２６を差し込んでカバー側貼付部３２とベース側貼付部２２とを合体させる。これによって切れ刃部３２７と切れ刃部２２７とが、図２４のように噛合する。この切れ刃部の直上に接続部１３を位置させて封印シール１を端が広がった略コの字形状に接着することによって（図２５）、ボックスベース２とボックスカバー３とは封印される。そして、ベース側貼付部２を蓋体側貼付部３に対してスライドさせたときには、切れ刃部２２７と切れ刃部３２７が離間するので、接続部１３は切れ刃部２２７によって切断されることになる。加えて、略コの字形状に貼り付けられた封印シール１の上面部分のアンテナ部１２がガイド片２２６によって切断されるため、さらに確実にＩＣチップ１１の情報が読み取り不可になると同時に、基板ケース上面から開封されたことが視認可能となる。
【００２５】
次に、本発明の第１の実施形態の基板ケースについて説明する。
図１２は、その基板ケースの構成部材を示す図であって、４は不正防止用のシールカバー体、５は刃先５１を有する切断部材である。カバー側貼付部３２の天板３２１には、窓部５７が設けられ、この窓部５７に、図１３に示すように切断部材５が嵌め込まれる。刃先５１の後方で切断部材５の両サイドには、カバー側貼付部３２の天板３２１との間に隙間５３が形成されており、切断部材５を刃先方向にスライドできるようにしてある。
【００２６】
ボックスベース２とボックスカバー３を合体させたうえで、ベース側貼付部２２とカバー側貼付部３２とを跨いで、図１４に示すように、封印シール１をコの字状に折り曲げて貼付する。
【００２７】
シールカバー体４は、切断部材５の後端面５４と係合する係合爪４１と、側部の係止爪４２とを備えている。係合爪４１は、係合用の下向き突起を備え、係止爪４２は内側に係止用突起を有している。係止爪４２に対応してベース側貼付部２２とカバー側貼付部３２にわたって係止孔３３が設けられている。封印シール１を貼付け後に、封印シール1を覆ってシールカバー体４を挿着すると、係止爪４２と係止孔３３とが係合されて、シールカバー体４がベース側貼付部２とカバー側貼付部３とに抜け出し不能に固定される（図１５）。なお、ボックスカバー３の前側側壁３５には、シールカバー体４の係合爪４１を不正行為から保護するための保護壁３６が下向きコの字状に設けてある。
【００２８】
次に切断部材の支持構造を説明する。図１７は、図１６のＡ−Ａ線断面図を示す図である。図１７において、切断部材５は、左右の端部５２とガイド用の突部５５を有している。カバー側貼付部３２には、支持レール３２５が設けられており、切断部材５の端部５２がこのうえに載置されている。なお、左右の突部５５の外側面は末広がりのハの字状に形成されていて、切断部材が天板３２１から上方に抜け出すのを規制している。
【００２９】
以下に、封印シール１の破壊機構について説明する。
図１９において、刃先５１に接続部１３を位置させて、封印シール１がカバー側貼付部３２とベース側貼付部２２とを跨いで側面視コの字状に貼着されている。そして、シールカバー体４に設けた係合爪４１が切断部材５の後端面５４と係合されている。
【００３０】
この状態でドライバーなどの工具を使ってシールカバー体４をむりやり引っ張り出そうとすると、図２０に示すように、切断部材５も共に前方に移動するので、刃先５１が封印シール（図示していない）を突き破ることとなる。これによって接続部１３が切断されてＩＣチップ１１とアンテナ部１２との導通が遮断されるので、リーダー装置による読み取りが不可能となって不正行為が働かれたことを検知することができる。また、切断部材５の引き出しによって隙間５３部分の封印シールはしわを付けて織り込まれる。したがって、視覚的に不正行為を確認することも可能である。
【００３１】
図２６には第２の実施形態である改良型の切断部材を示す。このものは、上面に複数本の凹溝部５７を有しており、凹溝部５７の間は突条部６０に形成してある。凹溝部５７を形成することによって封印シール１との接着面を減少させて、切断部材５を封印シール１から引き離し易くしてある。よって、不正な開封を行ったときには切断部材５が容易にスライドされるので、封印シール１の接続部１３の切断を確実に行うことができる。
【００３２】
また、本発明の第３の実施形態を図２７、２８に示す。この実施形態において、切断部材５は、ベース側貼付部２２とカバー側貼付部３２との間に挿入されるが、具体的にはカバー側貼付部３２の裏側に差し込み式で装着される。切断部材５は、カバー側貼付部３２あるいはベース側貼付部２２の両端に渡る幅の切れ刃５１を先端に備えており、後端にはガイド用の孔部５８を備えている。また、左右の両側面には係止爪５９を有している。カバー側貼付部３２には孔部５８に嵌め込まれる突起３２８が設けられている。
【００３３】
図２９のように、予め切断部材５をカバー側貼付部３２の裏側に装着し、ボックスベース２とボックスカバー３とをスライドさせて合体させる。その後、切断部１３を切れ刃５１の直上に位置させてボックス側貼付部３２とベース側貼付部２２を跨いで封印シール１を貼着する。この上にさらにシールカバー体４を差し込んで封印シール１を覆う（図３０）。このとき、係止爪５９が一度内側に撓んで戻ることで係止部４５と係合する。よって、シールカバー体４のみを取り外すことはできない（図３１）。なお、図３１において封印シールは図示していない。このように、封印状態では外部から係止爪５９に直接細工することはできないが、さらに保護壁（図示しない）をシールカバー体４の外側に設けて、係止爪５９が細工されることを防止するのが望ましい。
【００３４】
以上のように構成したものにおいて、むりやりシールカバー体４を取り外すと切断部材５も供にスライドされるので、切れ刃５１が封印シール１の接続部１３を切断することになる。本実施形態においては、切れ刃５１は封印シールの幅に相当する横幅に広く形成してあるので、封印シール１において切断部１３が斜めに設けられていれば接続部１３が必ず切れ刃５１の直上に位置することとなるので、確実に切断部１５を切断することができる。
【符号の説明】
【００３５】
１  封印シール、２  ボックスベース、３  ボックスカバー、４  突起、５  弾性爪、２２  ベース側貼付部、３２  カバー側貼付部、
【図１】
2010172766.tif 000003
【図２】
2010172766.tif 000004
【図３】
2010172766.tif 000005
【図４】
2010172766.tif 000006
【図５】
2010172766.tif 000007
【図６】
2010172766.tif 000008
【図７】
2010172766.tif 000009
【図８】
2010172766.tif 000010
【図９】
2010172766.tif 000011
【図１０】
2010172766.tif 000012
【図１１】
2010172766.tif 000013
【図１２】
2010172766.tif 000014
【図１３】
2010172766.tif 000015
【図１４】
2010172766.tif 000016
【図１５】
2010172766.tif 000017
【図１６】
2010172766.tif 000018
【図１７】
2010172766.tif 000019
【図１８】
2010172766.tif 000020
【図１９】
2010172766.tif 000021
【図２０】
2010172766.tif 000022
【図２１】
2010172766.tif 000023
【図２２】
2010172766.tif 000024
【図２３】
2010172766.tif 000025
【図２４】
2010172766.tif 000026
【図２５】
2010172766.tif 000027
【図２６】
2010172766.tif 000028
【図２７】
2010172766.tif 000029
【図２８】
2010172766.tif 000030
【図２９】
2010172766.tif 000031
【図３０】
2010172766.tif 000032
【図３１】
2010172766.tif 000033
【図３２】
2010172766.tif 000034